(57)【要約】【課題】  指向特性を有するスピーカーおよび無指向特性を有するスピーカーを含み、良好な音声再生が可能な音響再生装置、および、これを含む電子楽器を提供する。【解決手段】  音響再生装置は、入力される音声信号から直接音成分を含む第１音声信号を生成して出力する第１音声信号処理回路と、入力される音声信号から直接音成分とは異なる間接音成分を含む第２音声信号を生成して出力する第２音声信号処理回路と、少なくとも略水平方向に振動する振動板を有して、第１音声信号を音波に変換して放射する第１スピーカーと、少なくとも略垂直方向に振動する振動板と、振動板に対向するように配置されて音波を略水平方向に放射するディフューザーと、を有して、第２音声信号を音波に変換して放射する第２スピーカーと、を少なくとも備える。【選択図】  図２
2020120218.tif 000002
【特許請求の範囲】
【請求項１】
入力される音声信号から直接音成分を含む第１音声信号を生成して出力する第１音声信号処理回路と、
入力される音声信号から該直接音成分とは異なる間接音成分を含む第２音声信号を生成して出力する第２音声信号処理回路と、
少なくとも略水平方向に振動する振動板を有して、該第１音声信号を音波に変換して放射する第１スピーカーと、
少なくとも略垂直方向に振動する振動板と、該振動板に対向するように配置されて該音波を略水平方向に放射するディフューザーと、を有して、該第２音声信号を音波に変換して放射する第２スピーカーと、
を少なくとも備える、
音響再生装置。
【請求項２】
前記第２音声信号処理回路が、前記第１音声信号処理回路が前記第１音声信号に与えて出力する出力ゲインＧ１よりも高い出力ゲインＧ２を前記第２音声信号に与えて出力する、
請求項１に記載の音響再生装置。
【請求項３】
前記第２スピーカーが、再生周波数帯域を複数に分割して再生する複数のスピーカーを含み、所定の周波数以上の周波数帯域を再生するいずれかの該スピーカーが、前記振動板に対向するように配置される前記ディフューザーを少なくとも備え、
前記第２音声信号処理回路が、該第２スピーカーの該複数のスピーカーに対応して帯域分割して複数の前記第２音声信号を出力し、前記所定の周波数以上の周波数帯域において相対的に高い出力ゲインを与えて出力する、
請求項１に記載の音響再生装置。
【請求項４】
複数の前記音声信号が入力されて、そのいずれか１つの音声信号、または、複数の該音声信号を音量調整して加算した音声信号を、前記第１音声信号処理回路および／または前記第２音声信号処理回路に、それらに入力される前記音声信号として分配して出力するミキサー回路をさらに備える、
請求項１から３のいずれかに記載の音響再生装置。
【請求項５】
請求項４に記載の音響再生装置を含み、
少なくとも前記第１スピーカーまたは前記第２スピーカーが取り付けられる筐体を備え、
ユーザーの演奏に応じて操作される演奏操作回路と、該演奏操作回路からの制御信号に応じて音源回路から出力される音声信号を前記ミキサー回路に出力する楽器音出力回路と、を少なくとも備える、
電子楽器。
【請求項６】
前記音響再生装置の前記ミキサー回路に前記音声信号を出力するオーディオ再生回路をさらに含む、
請求項５に記載の電子楽器。
【発明の詳細な説明】
【技術分野】
【０００１】
本発明は、指向特性を有するスピーカーおよび無指向特性を有するスピーカーを含む音響再生装置、および、これを含む電子楽器に関する。
【背景技術】
【０００２】
振動して音波を放射する振動板を有する動電型のスピーカーにおいては、振動板口径に対して放射する音波の波長が相対的に長い低い周波数帯域では、音圧レベルが外径方向にほぼ一様になる無指向特性になりやすい。その一方で、振動板口径に対して放射する音波の波長が短くなる高い周波数帯域になるほどに、振動板が振動する正面方向に放射する音波の音圧が高くなり、側面方向に放射する音波の音圧が低くなる指向特性を有するようになりやすい。
【０００３】
スピーカーをキャビネットに取り付けた通常のスピーカーシステムは、放射特性が指向特性を有するようになりやすいので、聴取者に対するスピーカーの向きによって再生音質が変化するという問題がある。そこで、スピーカーの振動板に対向するように取り付けるディフューザーを設けて、音波の放射の指向特性を変化させようとするものが従来から在る。例えば、無指向特性に変化させるディフューザーは、振動板から放射される音波を反射させる略円錐状の反射体を備えるものがある（特許文献１）。
【０００４】
無指向特性を実現しようとするディフューザーを備えるスピーカーは、様々なものがある。フルレンジのスピーカーの場合には、振動板に対向するように配置する１つの略円錐形状の反射体を備えるものが代表的である。また、再生周波数帯域を帯域分割して複数のスピーカーで構成するマルチウェイのスピーカーシステムでは、中高音域を再生するフルレンジスピーカー、スコーカー、または、ツィーターにディフューザーを設けて、全帯域で無指向特性の実現を図る場合がある。
【０００５】
例えば、従来には、ウ─ハ─の上限よりも高い周波数を有する音響波の源は同一の表面上に配列されていて、音声信号をこの表面に対して直角な方向に、反射・回折系に同って輻射するようにする音響波の全方向輻射装置がある（特許文献２）。なお、無指向特性に近くなる低音域を再生するウーファーでは、キャビネットに取り付けるのみで、ディフューザーを設けないものもある。振動板の前面側にディフューザーを設ける無指向性のスピーカーは、ディフューザーを設けない指向性を有するスピーカーに比べて、再生音圧レベルが低くなり易いという問題がある。
【０００６】
また、電子楽器では、例えば、スピーカーボックスの中でスピーカーから下方に楽音を発音させ、その発音させた楽音を拡散器で拡散させて電子楽器の側方に発音させるようにしているものがある（特許文献３）。また、電子楽器と、電子楽器と通信可能に接続された楽曲再生制御装置とを備え、楽曲再生制御装置から出力されるオーディオ信号を電子楽器から再生する電子楽器システムが提案されている（特許文献４）。ただし、オーディオ再生機器からのオーディオ信号を電子楽器から再生する電子楽器システムにおいては、無指向特性のスピーカーを備えるものは提案されていない。
【０００７】
【特許文献１】実公昭５６−４１４３１号公報（図１）
【特許文献２】特開昭５５−１３５９２号公報
【特許文献３】特許第４６４６７６５号公報（図９）
【特許文献４】特開２０１７−１８１６２８号公報
【発明の概要】
【発明が解決しようとする課題】
【０００８】
本発明は、上記の従来技術が有する問題を解決するためになされたものであり、その目的は、指向特性を有するスピーカーおよび無指向特性を有するスピーカーを含み、良好な音声再生が可能な音響再生装置、および、これを含む電子楽器を提供することにある。
【課題を解決するための手段】
【０００９】
本発明の音響再生装置は、入力される音声信号から直接音成分を含む第１音声信号を生成して出力する第１音声信号処理回路と、入力される音声信号から直接音成分とは異なる間接音成分を含む第２音声信号を生成して出力する第２音声信号処理回路と、少なくとも略水平方向に振動する振動板を有して、第１音声信号を音波に変換して放射する第１スピーカーと、少なくとも略垂直方向に振動する振動板と、振動板に対向するように配置されて音波を略水平方向に放射するディフューザーと、を有して、第２音声信号を音波に変換して放射する第２スピーカーと、を少なくとも備える。
【００１０】
好ましくは、本発明の音響再生装置は、第２音声信号処理回路が、第１音声信号処理回路が第１音声信号に与えて出力する出力ゲインＧ１よりも高い出力ゲインＧ２を第２音声信号に与えて出力する。
【００１１】
また、好ましくは、本発明の音響再生装置は、第２スピーカーが、再生周波数帯域を複数に分割して再生する複数のスピーカーを含み、所定の周波数以上の周波数帯域を再生するいずれかのスピーカーが、振動板に対向するように配置されるディフューザーを少なくとも備え、第２音声信号処理回路が、第２スピーカーの複数のスピーカーに対応して帯域分割して複数の第２音声信号を出力し、所定の周波数以上の周波数帯域において相対的に高い出力ゲインを与えて出力する。
【００１２】
また、好ましくは、本発明の音響再生装置は、複数の音声信号が入力されて、そのいずれか１つの音声信号、または、複数の音声信号を音量調整して加算した音声信号を、第１音声信号処理回路および／または第２音声信号処理回路に、それらに入力される音声信号として分配して出力するミキサー回路をさらに備える。
【００１３】
また、本発明の電子楽器は、上記の音響再生装置を含み、少なくとも第１スピーカーまたは第２スピーカーが取り付けられる筐体を備え、ユーザーの演奏に応じて操作される演奏操作回路と、演奏操作回路からの制御信号に応じて音源回路から出力される音声信号をミキサー回路に出力する楽器音出力回路と、を少なくとも備える。
【００１４】
また、好ましくは、本発明の電子楽器は、音響再生装置のミキサー回路に音声信号を出力するオーディオ再生回路をさらに含む。
【００１５】
以下、本発明の作用について説明する。
【００１６】
本発明の音響再生装置は、入力される音声信号から直接音成分を含む第１音声信号を生成して出力する第１音声信号処理回路と、入力される音声信号から直接音成分とは異なる間接音成分を含む第２音声信号を生成して出力する第２音声信号処理回路と、を備える。さらに、音響再生装置は、少なくとも略水平方向に振動する振動板を有して、第１音声信号を音波に変換して放射する第１スピーカーと、少なくとも略垂直方向に振動する振動板と、振動板に対向するように配置されて音波を略水平方向に放射して無指向特性を実現するディフューザーと、を有して、第２音声信号を音波に変換して放射する第２スピーカーと、を備える。
【００１７】
したがって、この音響再生装置では、音声信号の直接音成分が指向特性を有する第１スピーカーから放射され、間接音成分が無指向特性を有する第２スピーカーから放射される。再生音の間接音成分は、本来的に様々な方向から聴取者に到来するものであるので、指向特性を有する第１スピーカーで放射するよりも無指向特性を有する第２スピーカーから放射することにより良好な音声再生が可能になる。
【００１８】
ここで、音響再生装置は、第２音声信号処理回路が、第１音声信号処理回路が第１音声信号に与えて出力する出力ゲインＧ１よりも高い出力ゲインＧ２を第２音声信号に与えて出力するようにするのが好ましい。振動板の前面側にディフューザーを設ける無指向性の第２スピーカーの再生音圧レベルが、ディフューザーを設けない第１スピーカーと同程度になり、バランスの取れた良好な音声再生が可能になる。
【００１９】
また、第２スピーカーが、再生周波数帯域を複数に分割して再生する複数のスピーカーを含み、所定の周波数以上の周波数帯域を再生するいずれかのスピーカーが、振動板に対向するように配置されるディフューザーを少なくとも備える場合には、第２音声信号処理回路が、第２スピーカーの複数のスピーカーに対応して帯域分割して複数の第２音声信号を出力し、所定の周波数以上の周波数帯域において相対的に高い出力ゲインを与えて出力するようにすればよい。ディフューザーを設けるスピーカーの再生音圧レベルが低くなるのを防いで、第２スピーカー全体として良好な音声再生を可能にすることができる。
【００２０】
また、音響再生装置は、複数の音声信号が入力されて、そのいずれか１つの音声信号、または、複数の音声信号を音量調整して加算した音声信号を、第１音声信号処理回路および／または第２音声信号処理回路に、それらに入力される音声信号として分配して出力するミキサー回路をさらに備えるようにするのが好ましい。第１音声信号処理回路および／または第２音声信号処理回路に分配する音声信号を制御して、複数の音声信号の何れか一つ、または、複数の音声信号を混合した音声再生が可能になる。
【００２１】
特に、この音響再生装置並びにオーディオ再生回路をさらに含む電子楽器は、例えば、演奏操作回路からの制御信号に応じて音源回路から出力される音声信号を楽器音出力回路からミキサー回路に出力し、さらに、別のオーディオ再生回路から音声信号をミキサー回路に出力するようにすれば、オーディオ信号を電子楽器から再生し、また、オーディオ再生と演奏音と混合させた再生が可能な電子楽器を構成することができる。
【発明の効果】
【００２２】
本発明の音響再生装置は、指向特性を有するスピーカーおよび無指向特性を有するスピーカーを含み、良好な音声再生が可能な音響再生装置、および、これを含む電子楽器を提供することができる。
【図面の簡単な説明】
【００２３】
【図１】本発明の一実施形態に係る音響再生装置を含む電子楽器１の正面図である。
【図２】本発明の一実施形態に係る電子楽器１の構成を説明するブロックダイアグラムである。
【図３】本発明の他の実施形態に係る電子楽器１ａの構成を説明するブロックダイアグラムである。
【発明を実施するための形態】
【００２４】
以下、本発明の好ましい実施形態による音響再生装置、および、これを含む電子楽器について説明するが、本発明はこれらの実施形態には限定されない。
【実施例１】
【００２５】
図１および図２は、本発明の好ましい実施形態による電子楽器１について説明する図である。具体的には、図１は、音響再生装置を含む電子楽器１としての電子ピアノ１の正面図（一部断面図）である。また、図２は、この電子ピアノ１の構成を説明するブロックダイアグラムである。なお、電子ピアノ１の形態は、本実施例の場合に限定されない。また、本発明の説明に不要な電子ピアノ１の構成については、図示及び説明を省略する。
【００２６】
本実施例の電子ピアノ１は、その筐体２に設けられた操作子である鍵盤５を演奏者が操作した場合に、鍵盤５に対応する演奏音の音声信号を（図示しない）音源を含む楽器音出力回路７から出力し、増幅器で増幅してスピーカーに出力し、演奏音を再生する電子楽器である。
【００２７】
ただし、電子ピアノ１は、オーディオ再生回路６をさらに含んでいて、音響再生装置としてオーディオ再生回路６が出力するオーディオ信号をスピーカーから再生し、また、電子楽器としてオーディオ再生と演奏音と混合させた再生が可能である。この電子ピアノ１では、筐体２の鍵盤５の下面側にオーディオ再生回路６が取り付けられている。制御回路９は、電子ピアノ１の動作を制御する。
【００２８】
楽器音出力回路７から出力される音声信号（演奏音）と、オーディオ再生回路６から出力される音声信号（オーディオ再生音）と、は、ともにミキサー回路８に入力される。なお、本実施例の場合には、これらはそれぞれステレオ左右チャンネル成分を含む。ミキサー回路８は、乗算器と加算器とを含む。ミキサー回路８は、複数の音声信号が入力されて、そのいずれか１つの音声信号、または、複数の音声信号を音量調整して加算した音声信号を、第１音声信号処理回路１０および／または第２音声信号処理回路２０に分配して出力することができる。
【００２９】
例えば、ミキサー回路８は、楽器音出力回路７からの演奏音のみを第１音声信号処理回路１０と第２音声信号処理回路２０とに出力する、あるいは、オーディオ再生回路６からのオーディオ再生音のみを第１音声信号処理回路１０と第２音声信号処理回路２０とに出力する、あるいは、楽器音出力回路７からの演奏音とオーディオ再生回路６からのオーディオ再生音とを適度に混合して第１音声信号処理回路１０および第２音声信号処理回路２０に出力する、などの操作が可能である。
【００３０】
もちろん、ミキサー回路８は、第１音声信号処理回路１０と第２音声信号処理回路２０とに同一の音声信号を出力することもできる。また、ミキサー回路８は、第１音声信号処理回路１０と第２音声信号処理回路２０のいずれか一方のみに音声信号を出力することもできる。
【００３１】
第１音声信号処理回路１０は、入力される音声信号から直接音成分を含む第１音声信号を生成して出力する。例えば、第１音声信号は、入力される音声信号そのものを出力するものであってもよく、また、入力される音声信号からノイズ成分または残響音成分などを除く信号処理を経て出力されるものであってもよい。本実施例の第１音声信号処理回路１０は、ステレオ信号としての第１音声信号１Ｌおよび１Ｒをそれぞれ出力する。
【００３２】
第１音声信号処理回路１０は、さらに第１音声信号１Ｌおよび１Ｒをそれぞれ、所定のクロスオーバー周波数よりも高い音声帯域を通過させて出力するハイパスフィルタ（ＨＰＦ）と、所定のクロスオーバー周波数よりも低い音声帯域を通過させて出力するローパスフィルタ（ＬＰＦ）と、を含む。クロスオーバー周波数は、後述するマルチウェイのスピーカー３Ｌおよび３Ｒのクロスオーバー周波数に対応する。
【００３３】
第１音声信号処理回路１０は、さらにこれらのＨＰＦおよびＬＰＦからの出力に所定のゲインＧ１を与える乗算器を含む。第１音声信号処理回路１０の乗算器からの出力は、それぞれ増幅回路で電力増幅されて、スピーカー３Ｌおよび３Ｒに入力される。所定のゲインＧ１を与える乗算器は、デジタル信号処理において行うものであってもよいが、アナログ信号に変換した音声信号を増幅するものであってもよい。
【００３４】
第２音声信号処理回路２０は、入力される音声信号から直接音成分とは異なる間接音成分を含む第２音声信号を生成して出力する。例えば、第２音声信号は、入力される音声信号をリバーブ信号処理してリバーブ成分のみを出力するものであってもよく、また、入力されるステレオ音声信号から差成分を強調させて遅延させる等のサラウンド処理、等の信号処理を経て出力されるものであってもよい。本実施例の第２音声信号処理回路２０は、ステレオ信号としての第２音声信号２Ｌおよび２Ｒをそれぞれ出力する。なお、第２音声信号処理回路２０は、間接音成分だけでなく直接音成分を含む第２音声信号を生成して出力してもよい。
【００３５】
本実施例の第２音声信号処理回路２０は、第２音声信号２Ｌおよび２Ｒに所定のゲインＧ２を与える乗算器を含む。ここで、ゲインＧ２は、第１音声信号処理回路１０の乗算器のゲインＧ１よりも高い出力ゲイン（Ｇ２＞Ｇ１）となるように設定される。第２音声信号処理回路２０の乗算器からの出力は、それぞれ増幅回路で電力増幅されて、スピーカー４Ｌおよび４Ｒに入力される。所定のゲインＧ２を与える乗算器は、デジタル信号処理において行うものであってもよいが、アナログ信号に変換した音声信号を増幅するものであってもよい。
【００３６】
この電子ピアノ１は、音波を放射するスピーカーとして、筐体２の鍵盤５の下面側に取り付けられるスピーカー３Ｌおよび３Ｒと、筐体２の鍵盤５の上面側の左右にそれぞれ取り付けられるスピーカー４Ｌおよび４Ｒと、を備えている。スピーカー３Ｌおよび４Ｌはステレオ信号の左音声チャンネルに対応し、スピーカー３Ｒおよび４Ｒはステレオ信号の右音声チャンネルに対応するスピーカーである。
【００３７】
スピーカー３Ｌおよび３Ｒは、それぞれ横長のキャビネット３０を有し、その高音域の周波数帯域の音声信号に対応するツィーター３１と、中低音域の周波数帯域の音声信号に対応するウーファー３２と、が取り付けられてマルチウェイスピーカーシステムを構成している。スピーカー３Ｌおよび３Ｒでは、ツィーター３１およびウーファー３２の振動板が振動する方向が筐体２の前後方向になるように配置される。スピーカー３Ｌおよび３Ｒは、特にディフューザー等を備えず、相対的に振動板よりも波長の短い周波数を含むので、前面方向に音圧が高くなる指向特性を有する。
【００３８】
したがって、スピーカー３Ｌおよび３Ｒは、ステレオ再生の左右の音声信号にそれぞれ対応して、前面方向に指向性を有して再生音を放射する。スピーカー３Ｌおよび３Ｒには、第１音声信号処理回路１０から直接音成分を含む第１音声信号１Ｌおよび１Ｒが入力されるので、スピーカー３Ｌおよび３Ｒは、再生音の直接音成分を主に放射することになる。
【００３９】
また、スピーカー４Ｌおよび４Ｒは、キャビネット４０の上面側に振動板が図示する上下方向に振動するように取り付けられるスピーカー４１と、スピーカー４１の振動板に対向するように設けられるディフューザー４２と、を備える。ディフューザー４２は、略円錐形状の錐面を反射面とする反射部材である。このスピーカー４１は、全ての周波数帯域を再生するフルレンジ型の動電型スピーカーである。なお、ディフューザー４２の形状は、略円錐形状の場合だけでなく、円錐形の頂部を切り落としたかのような略切頭円錐形状であってもよい。
【００４０】
したがって、スピーカー４Ｌおよび４Ｒは、スピーカー４１から上方向に放射された音波をディフューザー４２で反射させ、水平方向に関して無指向特性になるように再生音を放射する。スピーカー４Ｌおよび４Ｒには、第２音声信号処理回路２０から間接音成分を含む第２音声信号２Ｌおよび２Ｒが入力されるので、スピーカー４Ｌおよび４Ｒは、再生音の間接音成分を主に放射することになる。
【００４１】
スピーカー３Ｌおよび３Ｒは、電子ピアノ１の演奏者の膝元に配置されることになり、電子ピアノ１の演奏音の直接音成分を再生するのに適する。また、スピーカー３Ｌおよび３Ｒは、前面方向に音圧が高くなる指向特性を有するので、オーディオ再生回路６から再生するオーディオ信号の再生音を再生するのに適する。一方で、スピーカー４Ｌおよび４Ｒは、電子ピアノ１の演奏音の間接音成分を再生するのに適する。また、オーディオ再生回路６から再生するオーディオ信号において、これらから生成する間接音成分を再生するのに適する。
【００４２】
また、スピーカー３Ｌおよび３Ｒと、スピーカー４Ｌおよび４Ｒと、から再生する演奏音／再生音の音量のバランスは、電子ピアノ１の制御回路９がミキサー回路８を制御することで制御可能である。電子ピアノ１のスピーカーにこのような構成を採用することで、電子ピアノ１の演奏音が、演奏者および聴取者にとって本来のアコースティックのピアノの演奏音に近いものとして知覚できるようになると期待できる。また、オーディオ信号を電子ピアノ１から再生し、また、オーディオ再生と演奏音と混合させた再生も可能になる。
【００４３】
振動板の前面側にディフューザー４２を設ける無指向性のスピーカー４Ｌおよび４Ｒは、ディフューザーを設けない指向性を有するスピーカー３Ｌおよび３Ｒに比べて、再生音圧レベルが低くなり易い。しかし、この電子ピアノ１では、第２音声信号処理回路２０が、第１音声信号処理回路１０が第１音声信号１Ｌおよび１Ｒに与えて出力する出力ゲインＧ１よりも高い出力ゲインＧ２を第２音声信号２Ｌおよび２Ｒに与えて出力する。
【００４４】
出力ゲインＧ１およびＧ２の具体的な値は、スピーカー３Ｌおよび３Ｒと、スピーカー４Ｌおよび４Ｒと、の再生音圧レベルの能率差に基づいて設定できる。例えば、スピーカー３Ｌおよび３Ｒの再生音圧レベルが９０ｄＢＳＰＬ（Ｗ／ｍ）であり、スピーカー４Ｌおよび４Ｒの再生音圧レベルが８７ｄＢＳＰＬ（Ｗ／ｍ）である場合には、出力ゲインＧ２は、出力ゲインＧ１よりも３ｄＢ大きく設定するのが好ましい。したがって、ディフューザーを備える無指向性のスピーカー４Ｌおよび４Ｒの再生音圧レベルが、ディフューザーを設けないスピーカー３Ｌおよび３Ｒと同程度になり、良好な音声再生が可能になる。
【実施例２】
【００４５】
図３は、本発明の他の好ましい実施形態による電子楽器１ａの構成を説明するブロックダイアグラムである。本実施例の電子楽器１ａは、先の実施例の場合と無指向性のスピーカー４Ｌａおよび４Ｒａの構成が異なり、さらにこれに応じて第２音声信号処理回路２０ａの構成が異なる点で相違するのみである。したがって、本発明の説明に不要な電子ピアノ１ａの構成については、図示及び説明を省略する。
【００４６】
本実施例の無指向性のスピーカー４Ｌａおよび４Ｒａは、キャビネットの上面側に振動板が図示する上下方向に振動するように取り付けられるスピーカー４１と、スピーカー４１の振動板に対向するように設けられるディフューザー４２と、を備え、さらに、振動板が図示する水平方向に振動するように取り付けられるスピーカー４３を備える。このスピーカー４３の振動板の前面側には、ディフューザーは設けられていない。
【００４７】
スピーカー４１は、全ての周波数帯域を再生するフルレンジ型の動電型スピーカーであり、一方でスピーカー４３は、低音域の再生能力に優れる大きな口径の振動板を有するウーファーである。波長が長くて無指向特性に近くなる低音域を再生するウーファーであるスピーカー４３は、キャビネットに取り付けるのみで、ディフューザーを設ける必要がない。
【００４８】
スピーカー４Ｌａおよび４Ｒａには、先の実施例と同様に第２音声信号処理回路２０ａから間接音成分を含む第２音声信号２Ｌおよび２Ｒが入力されるので、スピーカー４Ｌａおよび４Ｒａは、再生音の間接音成分を主に放射することになる。
【００４９】
第１音声信号処理回路１０は、さらに第１音声信号１Ｌおよび１Ｒをそれぞれ、所定のクロスオーバー周波数よりも高い音声帯域を通過させて出力するハイパスフィルタ（ＨＰＦ）と、所定のクロスオーバー周波数よりも低い音声帯域を通過させて出力するローパスフィルタ（ＬＰＦ）と、を含む。第１音声信号処理回路１０は、さらにこれらのＨＰＦおよびＬＰＦからの出力に所定のゲインＧ１を与える乗算器と、を含む。第１音声信号処理回路１０の乗算器からの出力は、それぞれ増幅回路で電力増幅されて、スピーカー３Ｌおよび３Ｒに入力される。
【００５０】
本実施例の第２音声信号処理回路２０ａは、ステレオ信号としての第２音声信号２Ｌおよび２Ｒをそれぞれ出力するのは、先の実施例の場合と同様である。第２音声信号処理回路２０ａは、さらに第２音声信号２Ｌおよび２Ｒをそれぞれ、所定のクロスオーバー周波数よりも高い音声帯域を通過させて出力するハイパスフィルタ（ＨＰＦ）と、所定のクロスオーバー周波数よりも低い音声帯域を通過させて出力するローパスフィルタ（ＬＰＦ）と、を含む。
【００５１】
本実施例の第２音声信号処理回路２０ａでは、これらのＨＰＦからの出力に所定のゲインＧ２を与える乗算器と、これらのＬＰＦからの出力に所定のゲインＧ３を与える乗算器と、をさらに含む。ここで、ゲインＧ２は、第１音声信号処理回路１０の乗算器のゲインＧ１よりも高い出力ゲイン（Ｇ２＞Ｇ１）となるように設定される。また、ゲインＧ３は、ゲインＧ２よりも低い出力ゲイン（Ｇ２＞Ｇ３）となるように設定される。第２音声信号処理回路２０ａの乗算器からの出力は、それぞれ増幅回路で電力増幅されて、スピーカー４Ｌａおよび４Ｒａに入力される。
【００５２】
つまり、本実施例の場合には、スピーカー４Ｌａおよび４Ｒａが、再生周波数帯域を複数２つに分割して再生する複数のスピーカー（４１および４３）を含み、所定の周波数以上の周波数帯域を再生するスピーカー４１が、振動板に対向するように配置されるディフューザー４２を備えるので、第２音声信号処理回路２０ａは、ＨＰＦおよびＬＰＦで帯域分割して複数の第２音声信号２Ｌおよび２Ｒを出力し、所定の周波数以上の周波数帯域において相対的に高い出力ゲイン（Ｇ２＞Ｇ３）を与えて、スピーカー４１に出力している。
【００５３】
その結果、ディフューザー４２を設けるスピーカー４１の再生音圧レベルが低くなるのを防いで、スピーカー４Ｌａおよび４Ｒａ全体として良好な音声再生を可能にすることができる。
【００５４】
本実施例の電子ピアノ１は、鍵盤を備える電子楽器であるが、他の電子楽器であってもよい。
【産業上の利用可能性】
【００５５】
本発明の音響再生装置、および、これを含む電子楽器のスピーカーは、図示するような動電型のスピーカーユニットに限らず、さらに圧電型、静電型または電磁型の駆動部を備えて振動板を有するスピーカーユニットであってもよい。また、音響再生装置に限らず、映像信号を扱う映像音響機器にも適用が可能である。
【符号の説明】
【００５６】
１            電子ピアノ
２            筐体
３Ｌ、３Ｒ、４Ｌ、４Ｒ        スピーカー
５            鍵盤
６            オーディオ再生回路
８            ミキサー回路
１０          第１音声信号処理回路
２０          第２音声信号処理回路
４２          ディフューザー
【図１】
2020120218.tif 000003
【図２】
2020120218.tif 000004
【図３】
2020120218.tif 000005